(57)【要約】【課題】設置や収納が容易で、梱包や運搬にも適した使い勝手のよいソファを提供する。【解決手段】一対の第一背もたれ側連結具１１を底面から突出させた第一背もたれ１０と、第一背もたれ側連結具１１と着脱可能な第一ソファ側連結具２１を備え、平面視矩形状とするソファ本体２０と、を備えるソファ１００であって、第一背もたれ側連結具１１と第一ソファ側連結具２１は、該第一背もたれ側連結具１１と第一ソファ側連結具２１との軸方向の相対的な回転を規制する回転方向規制手段を備え、第一背もたれ１０は、ソファ本体２０の第１の辺に装着した状態で、傾斜角度を調整可能であり、第一ソファ側連結具２１は、ソファ本体２０に埋設されている。【選択図】図３
2020010799.tif 000002
【特許請求の範囲】
【請求項１】
一対の第一背もたれ側連結具を底面から突出させた第一背もたれと、
前記第一背もたれ側連結具と着脱可能な第一ソファ側連結具を備え、平面視矩形状とするソファ本体と、
を備え、
前記第一背もたれ側連結具と前記第一ソファ側連結具は、該第一背もたれ側連結具と第一ソファ側連結具との軸方向の相対的な回転を規制する回転方向規制手段を備え、
前記第一背もたれは、前記ソファ本体の第１の辺に装着した状態で、傾斜角度を調整可能であり、
前記第一ソファ側連結具は、前記ソファ本体に埋設されているソファ。
【請求項２】
請求項１に記載のソファであって、
前記第一背もたれが、前記ソファ本体の第１の辺に複数、横並びに装着されているソファ。
【請求項３】
請求項１又は２に記載のソファであって、さらに、
前記第１の辺と直交する第２の辺に装着された第二背もたれを備え、
前記第二背もたれは、該第二背もたれの底面から突出している一対の第二背もたれ側連結具を備え、
前記ソファ本体は、前記第二背もたれ側連結具と着脱可能な第二ソファ側連結具を備えているソファ。
【請求項４】
請求項１〜３のいずれか一項に記載のソファであって、
前記第一背もたれ側連結具は板状であり、前記第一ソファ側連結具は前記第一背もたれ側連結具の形状に沿った断面コ字状であるソファ。
【発明の詳細な説明】
【技術分野】
【０００１】
本発明は、リクライニング機能付きのソファに関する。
【背景技術】
【０００２】
近年、背もたれを後方に傾斜させるリクライニング機能付きのソファが広く使用されている。リクライニング機能によって利用者の体にかかる負担を軽減でき、より快適な使用感が得られる。その一方で、このようなリクライニング機能付きのソファはサイズが大きく、広い設置場所を必要とする等の問題があった。
【０００３】
そこで、背もたれの可動域を抑制して、設置場所のデッドスペースを少なくすることができるソファが開発されている。例えば、特許文献１に示すソファは、背もたれの後方への移動を抑制して壁際に設置し、デッドスペースを少なくすることができる。
【先行技術文献】
【特許文献】
【０００４】
【特許文献１】特開２０１２−１２５４３８号公報
【発明の概要】
【発明が解決しようとする課題】
【０００５】
しかしながら、従来のリクライニング機能付きのソファは一般に、構造が非常に複雑であった。なぜなら従来のリクライニング機能付きのソファは、背もたれ部分が支持軸を介して座部と一体となっており、背もたれ部分が後方に移動すると、座部が相対的に前方又は前方斜め上に移動する。このような複雑な構造をソファの内部に組み込んでいる関係上、ソファの分解が困難であり、その結果嵩高なままとなって、収納や持ち運びに不便という問題があった。
【０００６】
加えて、このようなソファは背もたれ部分の取り外しができないため、ソファーカバーを取り替えることが困難という問題もあった。
【０００７】
本発明は、従来のこのような問題点に鑑みてなされたものであり、その目的の一は、設置や収納が容易で、梱包や運搬にも適した使い勝手を改善したソファを提供することにある。
【課題を解決するための手段及び発明の効果】
【０００８】
本発明の第１の側面に係るソファによれば、一対の第一背もたれ側連結具を底面から突出させた第一背もたれと、前記第一背もたれ側連結具と着脱可能な第一ソファ側連結具を備え、平面視矩形状とするソファ本体と、を備えることができる。前記第一背もたれ側連結具と前記第一ソファ側連結具は、該第一背もたれ側連結具と第一ソファ側連結具との軸方向の相対的な回転を規制する回転方向規制手段を備え、前記第一背もたれは、前記ソファ本体の第１の辺に装着した状態で、傾斜角度を調整可能であり、前記第一ソファ側連結具は、前記ソファ本体に埋設することができる。上記構成により、ソファの設置や収納を容易とすることができる。また、ソファの梱包や運搬にも適した使い勝手を改善することができる。
【０００９】
また、第２の側面に係るソファによれば、上記構成に加えて、前記第一背もたれが、前記ソファ本体の第１の辺に複数、横並びに装着ことを可能とする。上記構成により、リクライニング機能を保持しつつ、複数の座席を一体とし、使用者が横向きに寝転がることもできる。
【００１０】
さらに、第３の側面に係るソファによれば、上記何れかの構成に加えて、前記第１の辺と直交する第２の辺に装着された第二背もたれを備え、前記第二背もたれは、該第二背もたれの底面から突出している一対の第二背もたれ側連結具を備え、前記ソファ本体は、前記第二背もたれ側連結具と着脱可能な第二ソファ側連結具を備えることができる。上記構成により、ソファの短手側にもリクライニング機能を付加することができる。例えば使用者がソファの長手方向に沿って寝転がった姿勢において、頭を置く側の角度を調節でき、ソファをベットのようにして使用することが可能となる。
【００１１】
さらに、第４の側面に係るソファによれば、上記何れかの構成に加えて、前記第一背もたれ側連結具は板状であり、前記第一ソファ側連結具は前記第一背もたれ側連結具の形状に沿った断面コ字状とすることができる。上記構成により、第一背もたれ側連結具は板状であるため、第一ソファ側連結具と面接触することができる。このように面接触すると、第一背もたれ側連結具と第一ソファ側連結具との接触面積が広くなるため、より確実に第一背もたれ側連結具と第一ソファ側連結具とを連結することができる。これにより、第一背もたれをソファ本体により確実に装着することができる。
【図面の簡単な説明】
【００１２】
【図１】本発明の実施形態１に係るソファの斜視図である。
【図２】ソファーカバーの取り付け状態を例示する斜視図である。
【図３】図１のソファの分解斜視図である。
【図４】図４Ａは図１のソファの分解前の状態を、図４Ｂは図１のソファの分解後の状態を、それぞれ示す側面図である。
【図５】第一背もたれ側連結具と第一ソファ側連結具を示す斜視図である。
【図６】第一背もたれ側連結具と第一ソファ側連結具の他の例を示す斜視図である。
【図７】第一背もたれ側連結具と第一ソファ側連結具の他の例を示す斜視図である。
【図８】図１のソファの第一背もたれのリクライニング機能を示す背面斜視図である。
【図９】実施形態２に係るソファの使用状態を示す背面斜視図である。
【図１０】実施形態２に係るソファ本体の他の使用状態を示す平面図である。
【図１１】実施形態３に係るソファの使用状態を示す斜視図である。
【図１２】実施例１〜３に係るソファの開口部を被覆部で覆った状態及び被覆部が開いている状態を、それぞれ示す斜視図である。
【図１３】実施形態１〜３に係るソファ本体の他の例を示す平面図である。
【図１４】実施形態１〜３に係るソファの他の例を示す斜視図である。
【発明を実施するための形態】
【００１３】
以下、本発明の実施形態を図面に基づいて説明する。ただし、以下に示す実施形態は、本発明の技術思想を具体化するための例示であって、本発明は以下のものに特定されない。また、本明細書は特許請求の範囲に示される部材を、実施形態の部材に特定するものでは決してない。特に実施形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一若しくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施形態１）
【００１４】
本発明の実施形態１に係るソファ１００を図１〜図８に示す。これらの図において、図１は本発明の実施形態１に係るソファの斜視図、図２はソファーカバーの取り付け状態を例示する斜視図、図３は図１のソファの分解斜視図、図４Ａは図１のソファの分解前の状態を、図４Ｂは図１のソファの分解後の状態を、それぞれ示す側面図、図５は第一背もたれ側連結具と第一ソファ側連結具を示す斜視図、図６は第一背もたれ側連結具と第一ソファ側連結具の他の例を示す斜視図、図７は第一背もたれ側連結具と第一ソファ側連結具の他の例を示す斜視図、図８は図１のソファの第一背もたれのリクライニング機能を示す背面斜視図を、それぞれ示している。
【００１５】
ソファ１００は、図１及び図３に示すように、第一背もたれ１０を着脱式として、第一背もたれ１０、第一背もたれ１０を挿入するソファ本体２０、及びソファ本体２０の底面に着脱可能に装着される脚部４０を有する。図２に示すように、第一背もたれ１０及びソファ本体２０は、その表面を不織布、皮革、ビニール等の可撓性のあるソファーカバー５０で覆っている。
【００１６】
第一背もたれ１０は、図３に示すように、その底面から一対の第一背もたれ側連結具１１を突出させている。第一背もたれ側連結具１１は板状であって、幅広面が以下のソファ本体２０の第１の辺と直交する方向に突出している。
【００１７】
ソファ本体２０は、平面視矩形状である。ソファ本体２０の背面側を第１の辺とし、第一背もたれ１０を着脱可能に第１の辺に装着する。図３に示すように、ソファ本体２０は、ソファ本体２０の上面であって、第１の辺の、一対の第一背もたれ側連結具１１と対応する位置に、第一背もたれ側連結具１１を挿入するための一対の開口部２２を開口させている。一対の開口部２２の内部に第一ソファ側連結具２１が配置されている。つまり、第一ソファ側連結具２１はソファ本体２０に埋設されている。ここで開口部２２は、好ましくはソファ本体２０のソファーカバー５０にスリット状に開口されている。これにより、外部から開口部２２を視認し難くして、第一ソファ側連結具２１を開口部２２の奥に隠すことで、見栄えの悪化を抑制できる。
【００１８】
このような開口部２２に、一対の第一背もたれ側連結具１１をそれぞれ挿入し、第一ソファ側連結具２１と連結させることにより、第一背もたれ１０をソファ本体２０に装着できる。一方、第一背もたれ１０をソファ本体２０から取り外す場合、第一背もたれ１０をソファ本体２０から引き抜くように、上方に移動させるだけでよい。
【００１９】
このように、ソファ本体２０から第一背もたれ１０が容易に取り外しできることにより、ソファ１００の分解が可能となる。図４Ｂは第一背もたれ１０及び脚部４０をソファ本体２０から取り外し、ソファ１００を分解し、コンパクトに積み上げた状態を示している。図４Ａ及び図４Ｂに示すように、ソファ１００全体の高さＤ１は、ソファ１００を分解して、第一背もたれ１０及び脚部４０をソファ本体２０に積み上げると、Ｄ１の約３分の１の高さＤ２になる。これにより、嵩高なソファをコンパクトに梱包でき、運搬も容易となるため物流コストも削減できる。また、ソファの設置や収納も容易とすることができる。さらに、第一背もたれ１０を取り外してソファーカバー５０を容易に取り替えることもできる。さらにまた、ソファ１００を分解できるため、ソファの修繕や背もたれの取り替えにも手間がかからない。
【００２０】
第一背もたれ側連結具１１は、図５に示すように長さ方向の中間に回転軸１２を有しており、回転軸１２を中心に折曲させることができる。これにより、第一背もたれ側連結具１１を第一ソファ側連結具２１に連結した状態で、図８に示すように第一背もたれ１０を傾斜させることができる。
【００２１】
第一ソファ側連結具２１と第一背もたれ側連結具１１とは、軸方向の相対的な回転を規制する回転方向規制手段を備える。回転方向規制手段の一例として、図５に示すように、第一背もたれ側連結具１１は板状であり、第一ソファ側連結具２１は第一背もたれ側連結具１１の形状に沿った断面コ字状に形成している。このため、第一背もたれ側連結具１１の幅広面が第一ソファ側連結具２１と面接触し、第一ソファ側連結具２１が第一背もたれ側連結具１１を確実に保持する。したがって、万一、第一背もたれ側連結具１１の一方が第一ソファ側連結具２１と連結せず、開口部２２から外れる状態になった場合でも、他方の第一背もたれ側連結具１１を軸として第一背もたれ１０が傾動することはない。つまり、第一背もたれ側連結具１１と第一ソファ側連結具２１の形状により、一対の第一背もたれ側連結具１１の一方のみが連結された場合でも、当該第一背もたれ側連結具１１を軸とした第一背もたれ１０の傾動は、規制される。これにより、万一、第一背もたれ１０が確実にソファ本体２０に装着されなかった場合でも、第一背もたれ１０の、例えば後方への移動は規制されるため、安全にソファを使用することができる。このような第一背もたれ側連結具１１や第一ソファ側連結具２１は、十分な強度と耐久性を発揮できるよう、鉄やステンレス等の金属製とすることが好ましい。
【００２２】
図５では、第一背もたれ連結具１１の形状について、対向する辺の長さが等しい長方形状としたが、本願発明は第一背もたれ連結具１１をこの形状に限定するものではない。図６及び図７に示すように、第一背もたれ側連結具１１’は幅広面の対向する辺が等しくなくてもよい。また、幅広面の対向する辺のいずれか１辺が曲線でもよい。
【００２３】
さらに、図８に示すように、第一背もたれ１０はソファ本体２０に装着した状態で、その傾斜角度を調整可能としている。つまり、第一背もたれ側連結具１１は、第一背もたれ１０の底面において所定の角度幅で折曲自在なラチェット等の機構を備えている。またラチェットは、静音式あるいは無音式で折曲可能な構造とすることが好ましい。
【００２４】
このように第一背もたれ１０は、第一背もたれ側連結具１１及び第一ソファ側連結具２１を介してソファ本体２０に装着されているだけである。つまり、第一背もたれ１０が移動すれば相対的にソファ本体２０が移動するというような複雑な構造を採用していない。したがって、第一背もたれ１０を後方に移動させても、ソファ本体２０の座部が前方又は前方斜め上に移動することはない。これにより、スペースを有効に利用することができる。
【００２５】
このように第一背もたれ１０を着脱式としたことで、ソファ１００を分解して外形を簡素化できるので、ソファーカバー５０の交換のための構造を簡素化でき、比較的容易にソファーカバー５０を交換できるようになる。加えて、第一背もたれ１０をリクライニングさせる機構を第一背もたれ側連結具１１側に持たせたことで、従来のソファのようにリクライニング機構をソファ本体側に組み込む必要がなくなり、ソファ本体の構造も簡素化できる。さらに、仮にリクライニング機構に不具合が生じても、第一背もたれ１０のみを利用者が自身で分離してメンテナンス業者に送付等でき、また交換品の提供も第一背もたれ１０のみを提供することで足り、修理や交換のための運送コストや取り付け作業を容易に行える利点が得られる。
（実施形態２）
【００２６】
一方で、第一背もたれ１０の数を適宜設定することもできる。例えば図１に示した実施形態１に係るソファ１００においては、第１の辺における第一背もたれの数を１としたが、本発明は第一背もたれの数をこの数に限定するものでない。例えば図９に示す実施形態２に係るソファ２００においては、第一背もたれの数を３としている。これにより、リクライニング機能を保持しつつ、複数の座席を一体とし、人が横向きに寝転がることもできる。また、第一背もたれの後方への移動と相対的にソファ本体２０の座部が前方又は前方斜め上に移動することもない。このため、使用者は移動したり、傾斜したりすることのない、平坦な座部に寝転がることができる。
【００２７】
図９では、第一背もたれ１０を一直線上に横並びに装着ている。一方、第一背もたれ１０は一直線上に装着しなくてもよい。図１０に示すように、１つの第一背もたれ１０に対して他の第一背もたれ１０を傾斜するように装着してもよい。
（実施形態３）
【００２８】
また、第二背もたれ３０を、第１の辺と直交する第２の辺に装着することもできる。例えば図１に示した実施形態１に係るソファ１００においては、第１の辺のみに第一背もたれ１０を装着したが、本発明は背もたれの装着位置を第１の辺に限定するものでない。例えば図１１に示す実施形態３に係るソファ３００においては、第二背もたれ３０を第１の辺と直交する第２の辺に装着している。これにより、ソファの短手側にもリクライニング機能を付加することができる。例えば使用者がソファの長手方向に沿って寝転がった姿勢において、頭を置く側の角度を調節でき、ソファをベットのようにして使用することが可能となる。
【００２９】
上述の実施形態１〜３において、ソファ本体２０に脚部４０が装着されている例を説明したが、本発明は脚部を必須とせず、脚部を用いないでソファ本体２０の底面をそのまま床面に置く態様としてもよい。図１４に示すソファ４００は、脚部を使用しない例を示している。これにより、ソファの安定性を増し、コストを削減できる。
【００３０】
また、上述の実施形態１〜３では、開口部２２をソファ本体２０の上面に表出させた例を示したが、本発明はこの構成に限らず、開口部を表出させない構造を付加してもよい。例えば図１２に示す例では、各開口部２２の上面に、被覆部２３を設けている。被覆部２３は、ソファカバー５０の上面に、このソファーカバー５０と同じ素材で、開口部２２よりも大きい矩形状に形成されて、一辺をソファーカバーに縫い付けて開閉式とする。これにより、開口部２２を使用しないときは開口部２２の上面を被覆部２３で閉塞して、外部に開口部２２が表出することを避け、見栄えを良くする。また、開口部２２に異物が入り込むなどして背もたれ側連結具の連結に支障が生じる事態も回避できる。さらに被覆部２３の裏面側に面ファスナやホックを設けたり、あるいは被覆部２３の周囲にジッパを設けるなどして、被覆部２３で開口部２２を閉塞した状態で保持できるような保持構造を設けてもよい。そして開口部２２を開口して背もたれを連結させる際には、被覆部２３を開いて開口部２２を露出させる。このようにして、開口部２２の開口状態を確保しつつも、非使用時にはこれを閉塞させて見栄えを向上させ、さらに異物の侵入を阻止して安定動作を図ることができる。
【００３１】
さらに、上述の実施形態１〜３において、ソファ本体２０の上面には、背もたれを取り付ける部分と座部との間に図３等に示すように段差２４を設けている。ただ、本発明はソファ本体の形状を段差を設ける形態に特定するものでない。例えば図１３に示すように、ソファ本体２０’’は上面に段差を設けず、平面状とすることもできる。このように、ソファの外形の自由度を高め、意匠性の高いデザインのソファを実現できる。
【産業上の利用可能性】
【００３２】
本発明に係るソファは、家庭用、オフィス用、公共交通機関の待合室などの公共施設用等のソファとして好適に利用できる。
【符号の説明】
【００３３】
１００、２００、３００、４００…ソファ
１０…第一背もたれ
１１、１１’、１１’’…第一背もたれ側連結具
１２…回転軸
２０、２０’、２０’’…ソファ本体
２１、２１’、２１’’…第一ソファ側連結具
２２、２２’、２２’’…開口部
２３…被覆部
２４…段差
３０…第二背もたれ
４０…脚部
５０…ソファーカバー
【図１】
2020010799.tif 000003
【図２】
2020010799.tif 000004
【図３】
2020010799.tif 000005
【図４】
2020010799.tif 000006
【図５】
2020010799.tif 000007
【図６】
2020010799.tif 000008
【図７】
2020010799.tif 000009
【図８】
2020010799.tif 000010
【図９】
2020010799.tif 000011
【図１０】
2020010799.tif 000012
【図１１】
2020010799.tif 000013
【図１２】
2020010799.tif 000014
【図１３】
2020010799.tif 000015
【図１４】
2020010799.tif 000016